(57)【要約】【課題】従来の生花及び造花飾りは、造花用の茎挿通管とともに生花を挿せる吸水性スポンジを配置する扱いにくいものであるため、箱を開けば容易に生花を機能的に飾れる折りたたみ式生花飾り箱を提供する。【解決手段】適度に腰の強さがある厚紙等による矩形状の基板２の左右に、前記基板２の半分の幅で、かつ横断面形状がＬ字状を成す上下端部に、上板３と下板４を設けて成る二つの箱縁体５，５を、前記基板２の両側に可動自在にヒンジ６連結するとともに、前記した基板２の内側下端部に、保持穴７付きポット受け８を取り付けて成る飾り箱本体９を形成して成る前記ポット受け８に、別体形成した花ポット１４を着脱自在に組み合わせて成る折りたたみ式の生花飾り箱１とする。【選択図】図１
2010240370.tif 000002
【特許請求の範囲】
【請求項１】
矩形状を成す基板の両側に、横断面形状がＬ字状で、かつ上下端部に上板と下板を設けて成る二つの箱縁体を可動自在にヒンジ連結するとともに、前記基板の下部にポット受けを設け成る構成を特徴とする折りたたみ式生花飾り箱。
【請求項２】
前記する基板と箱縁体の内側面を、風景写真やミラー等による装飾壁面に形成して成る請求項１に記載する折りたたみ式生花飾り箱。
【請求項３】
前記する基板のポット受けに、別体形成した花ポットを着脱自在に組み合わせて成る請求項１又は請求項２に記載する折りたたみ式生花飾り箱。
【請求項４】
前記する基板の両側に設けた箱縁体に、閉じ部材を設けて成る請求項１から請求項３のいずれかに記載する折りたたみ式生花飾り箱。
【発明の詳細な説明】
【技術分野】
【０００１】  本発明は、生花や切り花を体裁良く飾れるとともに、そのまま包装箱様に折りたたんで贈答用にも手軽に使える趣高い生花飾り箱に関する
【背景技術】
【０００２】  従来より、生花や切り花など飾るためには花瓶や花器などを用いたり、また種や苗から生育させるには、専用の花ポットや植木鉢などを用いて楽しんでいた。【０００３】  さらに、生花や造花を組み合わせて飾れるものとして、造花の茎を差し込める茎挿通管を容器に配置するとともに、その容器内に生花の茎が挿し込める吸水性スポンジを配置して飾れる生花と造花装飾具がある。（例えば、特開２００４−３５０７３９公報参照）
【特許文献１】特開２００４−３５０７３９公報
【発明の開示】
【発明が解決しようとする課題】
【０００４】  従来の切り花などの生花を飾るために用いる花瓶の場合は、瓶の口が狭い場合は花がバラけにくいが、口が広い花瓶は花がバラけてバランスよく飾りにくいので、オアシスや剣山を組み合わせる必要があった。さらに花器に剣山やオアシスなど用いて花を活ける場合はバランスよく飾ることができるが、その花器や花瓶に花やオアシスなどを組み合わせて手軽に贈り物にすることは構成上難しかった。【０００５】  さらに特開２００４−３５０７３９公報に開示される生花と造花装飾具の技術は、生花や造花を飾れるものとして、造花の茎を差し込んで固定できるとともに、生花の茎を挿通させる茎挿通管が上下に貫通配置した造花固定部材が容器の上部に保持され、その容器内の造花固定部材の下方に、生花の茎が挿し込める吸水性スポンジを配置して生花と造花を組み合わせて飾れる装飾具である。【０００６】  この技術は生花に加えて造花も組み合わせて飾れる面白さがある。しかし、その構成は複雑でありコスト高でもある。加えて、造花の茎挿通管は固定され、かつ太さも角度も一定であるため時には差し込めないなどの不便もある。さらに本体は植木鉢様であるので、そのまま携行するのも難しく、ギフトとして贈った場合、受け手側は慣れないと扱いにくく、また掃除もしにくいなど、構成上ギフトには適さないなどの不便や欠点がある花装飾具であった。
【課題を解決するための手段】
【０００７】  本発明は従来の以上のような不便や欠点を解消するために、請求項１においては、矩形状を成す基板の両側に、横断面形状がＬ字状で、かつ上下端部に上板と下板を設けて成る二つの箱縁体を可動自在にヒンジ連結するとともに、前記基板の下部にポット受けを設けることで、直接ポット受けに生花を挿したり、オアシスなど用いて簡単に花を活けることができる折りたたみ式生花飾り箱を構成する。【０００８】  請求項２においては、前記する基板と箱縁体の内側面を、風景写真やミラー等による装飾壁面に形成することにより、風景写真を背景として花を飾れたり、花がミラー面に写ってさらに美しく飾れる折りたたみ式生花飾り箱とする。【０００９】  請求項３においては、前記する基板のポット受けに、別体形成した花ポットを着脱自在に組み合わせられることにより、好みの花を活けた花ポットを入れ替えるだけで、容易に雰囲気を変えられる折りたたみ式生花飾り箱とする。【００１０】  請求項４においては、前記する基板の両側に設けた箱縁体に、二つで一組とする閉じ部材を設けることにより、そのまま携帯しても突然開く心配もなく、また、包装すればギフト品として直ぐに遠方に発送することも可能な折りたたみ式生花飾り箱とする。
【発明の効果】
【００１１】  本発明における生花飾り箱は、折りたたんだ状態は一見単なる箱のように見えるが、左右の箱縁を開くと背景写真を背にした中央にポット受けが位置するとともに、そのポット受けに、生花を差し入れた花ポットを組み合わせると、美しい風景写真をバックにして生花を美しく飾れることはもとより背面にミラーを備えた場合は写るので、一層豪華に飾れる。また観葉植物や造花もワンタッチで飾れるなど従来には見られないユニークにして趣の高い生花飾りを箱を提供できる。【００１２】  さらに、花ポットは自在に取り替えられるので、花ポットに土を入れて根の付いた花や観葉植物も飾ることも可能であるうえ、時には花ポットを用いず直接ポット受けにオアシスなど用いて花を飾ることも可能である。また季節によっては花ポットに小さな電飾ツリーやメロディ装置と電池を備えたツリーを組み合わせて楽しむこともできるユニークな花飾り箱として使える。【００１３】  加えて、両側の箱縁を折りたたんでから係止部材で掛け留めて閉じると、あたかも一つの箱のようにコンパクトに折りたためて携行するのも容易であるので、例えば病気見舞いとして喜ばれる贈答品として使えることはもとより、包装紙で包めばそのままギフトとして遠方に送ることも容易である。しかも構成はシンプルにして扱い易いので、受けて側は箱縁体を開いてから花ポットに少し水を入れるだけで直ぐに楽しめるなど、趣と気品高い贈り物となるなど季節を問わず手軽にして扱い易く、かつ製造も安価にして広く提供できる折りたたみ式生花飾り箱をである。
【発明を実施するための最良の形態】
【００１４】  本発明による生花飾り箱の実施形態を、図１に示す一部分解した展開斜視図と図２に示す生花飾り箱本体のＡ−Ａ線断面図、図３に示す生花飾り箱本体の箱縁体を前側に閉じた状態の断面図、図４に示す生花飾り箱本体の箱縁体を後部側に折った状態の断面図、図５に示す生花飾り箱本体のＢ−Ｂ線縦断面図で説明する。【００１５】  本発明による花飾り箱１は、適度に腰の強さがある厚紙、プラ板、木材等の素材により、高さ約３０〜５０ｃｍで、幅１５〜２０ｃｍ位で成る矩形状の基板２の左右に、幅約１０ｃｍで奥行は前記した基板２の半分の幅とし、かつ横断面形状がＬ字状を成す上下端部に、上板３と下板４を設けて成る二つの箱縁体５，５を、前記基板２の両側に可動自在すべくヒンジ６，６連結するとともに、前記した基板２の内側下端部に、保持穴７を有するポット受け８を取り付けて成る飾り箱本体９を形成する。尚、前記するポット受け８は、両サイドの箱縁体５，５を基板２の前側に折り返した際ピッタリ閉じ合わせられるように、下板４の厚さ分、基板２の下端部より数ミリ以上がった部位に取り付ける。【００１６】  さらに、以上のように形成した前記飾り箱本体９の一方の箱縁体５の外側面には、係止部材の一方となる掛け紐１０を取り付け、その掛け紐１０を巻き付けられる掛け具１１を対向側の箱縁体５の外面に設けた二つで一組とする閉じ部材１２を設け、かつ前記基板２及び左右の箱縁体５の内側面には、風景写真やシートミラーなど設けて成る装飾壁面１３に形成して成る前記基板２のポット受け８に、別体形成した花ポット１４を着脱自在に組み合わせて成る折りたたみ式の生花飾り箱１を構成する。尚、前記花ポット１４の底部には、生花１６を保持するオアシス１５や剣山を組み合わせてもよい。【００１７】  本実施形態による生花飾り箱１は、基板１の左右に位置する箱縁体５，５はヒンジ６連結されているので、図１に示すように箱縁体５，５は左右に展開して全面開放でき、かつ基板２の前側に折りたたむと閉じることはもとより、必要なら図３に示すように基板２の後部側に折り返すこともでき、いずれの場合も二つの箱縁体５，５によってどんな状態でも安定した状態で生花飾り箱１を垂直に立てて保持できる。【００１８】  さらに、展開した基板２の下部にポット受け８を備え、そのポット受け８には、別体形成した花ポット１４を着脱自在に組み合わせ可能とするので、オアシス１５や剣山を用いて生花１６や造花をきれいに飾れる。また両側の箱縁体５，５を閉じてから掛け具１１に掛け紐１０を引っ掛けると、そのまま携行しても突然開く心配もなく、包装すれば遠方に発送することもできる生花飾り箱１となる。【００１９】  本発明による生花飾り箱本体９は所定の大きさを表示しているが、これは一例であって大きさや素材は任意でよい。またヒンジ６部は一枚の板に折り目を付けて形成されるものであるが、これ以外のいずれのヒンジ機構を採用しても差し支えない。さらに本発明による箱縁体５は一枚の板材で立体形成されているが、厚紙による箱のように、展開すると一枚板状になり、組み立てると本発明のように立体的な縁を組み立てられる方式でも構わない。加えて、実施形態には取っ手などは特に設けていないが、任意の部位に取り付けてもよいし、いずれも特に限定されるものではない。
【産業上の利用可能性】
【００２０】  本発明による生花飾り箱１は生花や造花、観葉植物など対象としているが、花ポットに電池と発光装置を備えたツリーを組み合わせて成る簡易なクリスマスツリーとしても使える。
【図面の簡単な説明】
【００２１】
【図１】本発明による生花飾り箱の実施形態を示す一部分解した展開斜視図である。
【図２】本発明の生花飾り箱本体のＡ−Ａ線断面図である。
【図３】本発明の生花飾り箱本体の箱縁体を前側に折った状態の横断面図である。
【図４】本発明の生花飾り箱本体の箱縁体を後側に折った状態の横断面図である。
【図５】本発明の生花飾り箱本体を示すＢ−Ｂ線縦断面図である。
【図６】本発明の生花飾り箱のポット受けに、生花を活けた花ポットを組み合わせた状態を示す正面参考斜視図である。
【図７】本発明の生花飾り箱を閉じた状態を示す斜視図である。
【符号の説明】
【００２２】１  生花飾り箱
２  基板
３  上板
４  下板
５  箱縁体
６  ヒンジ
７  保持穴
８  ポット受け
９  飾り箱本体
１０  掛け紐
１１  掛け具
１２  閉じ部材
１３  装飾壁面
１４  花ポット
１５  オアシス
１６  生花
【図１】
2010240370.tif 000003
【図２】
2010240370.tif 000004
【図３】
2010240370.tif 000005
【図４】
2010240370.tif 000006
【図５】
2010240370.tif 000007
【図６】
2010240370.tif 000008
【図７】
2010240370.tif 000009